(57)【要約】 【課題】  補正素子の設計を容易化するとともに、各波長のレーザ光の光学特性を円滑に補正でき、しかも、それぞれのレーザ光の光軸調整を同時に行い得る光ピックアップ装置を提供する。【解決手段】  ３波長レーザ１１０から出射されるＣＤ用、ＤＶＤ用、次世代ＤＶＤ用レーザ光を光路するダイクロプリズム１１３、１１４、プリズムミラー１１５を配し、これらによって分割されたＣＤ用、ＤＶＤ用レーザ光の光路上に補正素子１１６、１１７を配する。また、上記の如く光路分割された各レーザ光の光路を、光軸が整合した状態で統合するプリズムミラー１１８、ダイクロプリズム１１９、１２０を、ダイクロプリズム１１３、１１４、プリズムミラー１１５に対向するよう配置する。こうすると、補正素子１１６、１１７は、ＣＤ用またはＤＶＤ用レーザ光についてのみ補正特性を検討すればよくなり設計が容易となる。【選択図】    図１
2005285174.tif 000002
【特許請求の範囲】
【請求項１】
出射波長の異なる複数のレーザ素子を同一筺体内に収容した半導体レーザと、
前記半導体レーザから出射されるレーザ光の光路を波長毎に分割する第１のプリズム群と、
前記第１のプリズム群によって分割された光路を、それぞれの光軸を一致させるようにして統合する第２のプリズム群と、
前記第１のプリズム群によって分割された光路中に配されるとともに、当該波長のレーザ光の光学的特性を補正する補正素子とを有する、
ことを特徴とする光ピックアップ装置。
【請求項２】
請求項１において、
前記第１および第２のプリズム群を構成するプリズム素子は、これら第１および第２プリズム群を通過した後の各波長のレーザ光の光軸が一致するよう、その反射面が調整されている、
ことを特徴とする光ピックアップ装置。
【請求項３】
請求項１または２において、
前記第１および第２のプリズム群は、特定波長のレーザ光のみを反射または透過させるダイクロイックプリズムを含む、
ことを特徴とする光ピックアップ装置。
【請求項４】
請求項１ないし３の何れかにおいて、
前記第１のプリズム群を構成するプリズム素子が一体的に接合されて第１のプリズムアセンブリが構成され、且つ、前記第２のプリズム群を構成するプリズム素子が一体的に接合されて第２のプリズムアセンブリが構成されている、
ことを特徴とする光ピックアップ装置。
【請求項５】
請求項１ないし３の何れかにおいて、
前記第１のプリズム群を構成する一のプリズム素子と前記第２のプリズム群を構成する一のプリズム素子が一体的に接合されて、一つのプリズムアセンブリが構成されている、
ことを特徴とする光ピックアップ装置。
【請求項６】
請求項４において、
前記補正素子は、前記第１のプリズムアセンブリと前記第２のプリズムアセンブリの間の光路中に配されている、
ことを特徴とする光ピックアップ装置。
【請求項７】
請求項５において、
前記補正素子は、隣り合う２つのプリズムアセンブリ間の光路中に配されている、
ことを特徴とする光ピックアップ装置。
【請求項８】
請求項１ないし５の何れかにおいて、
前記補正素子は、当該レーザ光を反射するプリズム素子の反射面に配されている、
ことを特徴とする光ピックアップ装置。
【発明の詳細な説明】
【技術分野】
【０００１】
本発明は、光ピックアップ装置に関し、特に、波長の異なる数種のレーザ光を記録媒体に照射する互換型の光ピックアップ装置に用いて好適なものである。
【背景技術】
【０００２】
現在、ＣＤ（Compact Disc）やＤＶＤ（Digital Versatile Disc）等、様々な光ディスクが商品化され普及している。さらに、最近では、青紫レーザ光を用いて情報を記録再生する次世代ＤＶＤの規格化が進められている。この次世代ＤＶＤは、波長４０５ｎｍ程度の青紫レーザ光を用いて情報を記録再生するものである。レーザ光の短波長化によって、さらなる高密度化を図ることができる。
【０００３】
このように、ディスクの多様化が進むと、異なる種類のディスクに対し記録再生を行い得る、いわゆる互換型の光ピックアップ装置の開発が要求される。ここで、波長の異なるレーザ光をディスクに照射するには、それぞれの波長のレーザ光を出射する半導体レーザを個別に配する手法が採られ得る。しかし、こうすると、半導体レーザが個別に必要となり、また、それぞれの半導体レーザを配するためのスペースと、各レーザ光を導くための光学素子が必要となる。そこで、最近では、一つのレーザＣＡＮ内に出射波長の異なる複数のレーザ素子を同時に収容する構成が種々検討されている。
【０００４】
ところが、このように一つのレーザＣＡＮ内に複数のレーザ素子を収容すると、各レーザ素子の配置ギャップに応じて、レーザ光の光軸間にズレが生じる。このため、一つのレーザ光の光軸に光学系を位置合わせすると、他のレーザ光の光軸が光学系に対してずれてしまい、これら他のレーザ光にて記録再生を行う際に、光学特性ないし記録再生特性が劣化するとの問題が生じる。
【０００５】
そこで、以下の特許文献１では、数種のレーザ素子を収容した半導体レーザの直後に複屈折素子を配し、この複屈折素子にてそれぞれのレーザ光の光軸を一致させてから、光学系にレーザ光を導くようにしている。すなわち、基準となるレーザ光の偏光面とその他のレーザ光の偏光面が互いに直交するよう複数のレーザ素子を同一ＣＡＮ内に配すると共に、この半導体レーザの直後に、基準レーザ光はそのまま通過させ、その他のレーザ光は基準レーザ光の光軸に一致するように屈折させる複屈折素子を配する。かかる構成により、各レーザ光の光軸を一致させた後に、レーザ光を後段の光学系に導くことができ、もって、全てのレーザ光の光軸を光学系に対し整合させることができるようになる。
【特許文献１】特開平６−１３１６８８号公報
【発明の開示】
【発明が解決しようとする課題】
【０００６】
上記の如く、一つのレーザＣＡＮ内に複数のレーザ素子を収容するようにすると、光学系を共用でき、部品点数の削減等を図れるようになるが、その反面、それぞれのレーザ光の光学特性（波面収差、開口数、等）を調整する場合には、共通光路中に配された一つの補正素子にて、何れの波長のレーザ光に対しても円滑に補正ができなければならず、このため、補正素子に要求される設計条件が複雑化するとの問題が生じる。
【０００７】
特に、次世代ＤＶＤとＣＤとを記録再生対象とする場合には、ＣＤレーザ光の波長が次世代ＤＶＤレーザ光の波長の約２倍であるため、波長選択性の補正素子を用いると、ＣＤレーザ光の補正を円滑に行い得ない。このため、液晶素子等、動的に補正特性を変更できる補正素子を用いなければならなくなるが、こうすると、コストの上昇を招き、また、波長毎に液晶素子の補正特性を切り換える必要があることから、サーボ回路の処理負担が増大するとの問題も生じる。さらに、液晶素子は、レーザ光の偏光面が液晶分子の配向方向に対応している場合にレーザ光の光学特性を補正できるものであるから、１／４λ板の配置によって、ディスクからの反射レーザ光の偏光面が入射時に比べ直交すると、もはや、液晶素子によって光学特性は補正できず、このため、ディスクからの反射光が、光学特性が不適性なまま光検出器に導かれることとなり、再生特性が劣化するとの問題も生じる。
【０００８】
そこで、本発明は、補正素子の設計を容易化するとともに、各波長のレーザ光の光学特性を円滑に補正でき、しかも、それぞれのレーザ光の光軸調整を同時に行い得る光ピックアップ装置を提供することを課題とする。
【課題を解決するための手段】
【０００９】
上記課題に鑑み本発明は、それぞれ以下の特徴を有する。
【００１０】
第１の発明は、光ピックアップ装置において、出射波長の異なる複数のレーザ素子を同一筺体内に収容した半導体レーザと、前記半導体レーザから出射されるレーザ光の光路を波長毎に分割する第１のプリズム群と、前記第１のプリズム群によって分割された光路を、それぞれの光軸を一致させるようにして統合する第２のプリズム群と、前記第１のプリズム群によって分割された光路中に配されるとともに、当該波長のレーザ光の光学的特性を補正する補正素子とを有することを特徴とする。
【００１１】
第２の発明は、前記第１の発明に係る光ピックアップ装置において、前記第１および第２のプリズム群を構成するプリズム素子は、これら第１および第２プリズム群を通過した後の各波長のレーザ光の光軸が一致するよう、その反射面が調整されていることを特徴とする。
【００１２】
第３の発明は、前記第１または第２の発明に係る光ピックアップ装置において、前記第１および第２のプリズム群は、特定波長のレーザ光のみを反射または透過させるダイクロイックプリズムを含むことを特徴とする。
【００１３】
第４の発明は、前記第１ないし第３の発明のうち、何れか一つの発明に係る光ピックアップ装置において、前記第１のプリズム群を構成するプリズム素子が一体的に接合されて第１のプリズムアセンブリが構成され、且つ、前記第２のプリズム群を構成するプリズム素子が一体的に接合されて第２のプリズムアセンブリが構成されていることを特徴とする。
【００１４】
第５の発明は、前記第１ないし第３の発明のうち、何れか一つの発明に係る光ピックアップ装置において、前記第１のプリズム群を構成する一のプリズム素子と前記第２のプリズム群を構成する一のプリズム素子が一体的に接合されて、一つのプリズムアセンブリが構成されていることを特徴とする。
【００１５】
第６の発明は、前記第４の発明に係る光ピックアップ装置において、前記補正素子は、前記第１のプリズムアセンブリと前記第２のプリズムアセンブリの間の光路中に配されていることを特徴とする。
【００１６】
第７の発明は、前記第５の発明に係る光ピックアップ装置において、前記補正素子は、隣り合う２つのプリズムアセンブリ間の光路中に配されていることを特徴とする。
【００１７】
第８の発明は、前記第１ないし第５の発明のうち、何れか一つの発明に係る光ピックアップ装置において、前記補正素子は、当該レーザ光を反射するプリズム素子の反射面に配されていることを特徴とする。
【００１８】
本発明の特徴は、以下に示す実施の形態の説明により更に明らかとなろう。但し、以下の実施の形態は、あくまでも、本発明の一つの実施形態であって、本発明ないし各構成要件の用語の意義は、以下の実施の形態に記載されたものに制限されるものではない。
【発明の効果】
【００１９】
第１の発明によれば、第１のプリズム群によって波長毎にレーザ光の光路を分割し、分割されたレーザ光に対して、補正素子にて光学特性を補正するものであるから、補正素子は、当該波長のレーザ光に対してのみ設計すればよく、よって、補正素子の設計の簡易化と補正特性の適正化を図ることができる。また、第１のプリズム群によって分割されたレーザ光は、第２のプリズム群によって、光軸調整された状態で、再び統合されるので、その後の光学系を共用でき、また、光軸ずれによる光学特性の劣化を抑制することもできる。このように、第１の発明によれば、補正素子の設計を容易化できるとともに、各波長のレーザ光の光学特性を円滑かつ適正に補正でき、しかも、それぞれのレーザ光の光軸調整を同時に行える光ピックアップ装置を提供することができる。
【００２０】
ここで、各レーザ光の光軸調整は、第２の発明のように、第１および第２のプリズム群を構成するプリズム素子の反射面を適宜調整することにより達成することができる。こうすると、別途、光軸調整を行うための光学素子を配する必要がなくなり、部品点数の削減と、構成の簡素化を図ることができる。
【００２１】
なお、プリズム群を構成するプリズム素子としては、第３の発明のように、波長に応じてレーザ光を透過または反射するダイクロイックプリズムを用いることができる。こうすると、他に光学素子を追加することなく、プリズム素子のみによって、対応する波長のレーザ光の光路を分割することができ、部品点数の削減と、構成の簡素化を図ることができる。
【００２２】
また、第４または第５の発明のように、複数のプリズム素子を一体化してプリズムアセンブリを構成するようにすれば、構成の簡素化と配置の容易化を図ることができ、また、光路長の短縮による省スペース化を図ることができる。
【００２３】
また、このように複数のプリズム素子を一体化してプリズムアセンブリを構成するようにすれば、第６および第７の発明のように、アセンブリ間の光路中に補正素子を配することができ、補正素子の配置を簡易化することができる。
【００２４】
なお、補正素子は、第８の発明のように、プリズムの反射面に配するようにすることもできる。たとえば、プリズムの反射面を、波面収差を打ち消すように湾曲させたり、あるいは、レーザ光の有効径を小さくするために、光軸から一定の径までの部分を反射面にし、それより外の部分を透過面または乱反射面にするよう加工する。これにより、補正素子の配置スペースを省略でき、部品点数の削減を図ることもできる。
【発明を実施するための最良の形態】
【００２５】
以下、本発明の実施の形態につき図面を参照して説明する。
【００２６】
図１に実施の形態に係る光ピックアップ装置の構成を示す。なお、この光ピックアップ装置は、ＣＤ／ＤＶＤ／次世代ＤＶＤ用（基板厚０．６ｍｍ）の互換型として用いられるものである。また、同図中、再生回路２００、サーボ回路３００は、光ディスク装置側の構成である。
【００２７】
図示の如く、光ピックアップ装置は、３波長レーザ１１０と、コリメートレンズ１１１と、偏光ビームスプリッタ（偏光ＢＳ）１１２と、ダイクロイックプリズム（ダイクロＰ）１１３、１１４と、プリズムミラー（ミラーＰ）１１５と、補正素子１１６、１１７と、プリズムミラー（ミラーＰ）１１８と、ダイクロイックプリズム（ダイクロＰ）１１９、１２０と、λ／４板１２１と、対物レンズアクチュエータ１２２と、対物レンズ１２３と、集光レンズ（集光Ｌ）１２４と、光検出器１２５を備えている。
【００２８】
３波長レーザ１１０は、ＣＤ用のレーザ光（波長７８０ｎｍ）、ＤＶＤ用のレーザ光（波長６５５ｎｍ）、次世代ＤＶＤ用のレーザ光（波長４０７ｎｍ）をそれぞれ出射する３つのレーザ素子を同一ＣＡＮ内に収容している。ここで、それぞれのレーザ素子は、一つの直線上（同図のＹ−Ｙ’方向）に並ぶよう、所定のギャップをおいて配置されている。また、各素子から出射されるレーザ光は、互いに偏光面が平行となっている。
【００２９】
コリメートレンズ１１１は、３波長レーザ１１０から出射された各波長のレーザ光を平行光に変換する。ここで、コリメートレンズ１１１は、たとえば、各波長のレーザ光に対し色消し効果を実現できるよう、アッベ数と曲率（球面）が調整された複数枚のレンズを貼り合わせて形成されている。
【００３０】
偏光ビームスプリッタ１１２は、その偏光面が３波長レーザ１１０から出射されるレーザ光の偏光面に一致するように調整・配置されている。したがって、コリメートレンズ１１１によって平行光に変換された各波長のレーザ光は、それぞれ偏光ＢＳ１１２をほぼ全透過する。
【００３１】
ダイクロプリズム１１３は、３波長レーザ１１０から出射されるレーザ光のうち、ＣＤ用レーザ光のみを反射し、その他のレーザ光を透過する。ダイクロプリズム１１４は、ダイクロプリズム１１３を透過するレーザ光のうち、ＤＶＤ用レーザ光のみを反射し、次世代ＤＶＤ用レーザ光を透過する。プリズムミラー１１５は、ダイクロプリズム１１４を透過した次世代ＤＶＤ用レーザ光を反射する。
【００３２】
なお、ダイクロプリズム１１３、１１４と、プリズムミラー１１５は、同図に示す如く、その側面が接着固定されており、これにより一つのプリズムアセンブリを構成している。かかるプリズムアセンブリは、各プリズム素子が３波長レーザ１１０の光軸上に並ぶよう、光ピックアップ装置のベース上に設置される。
【００３３】
補正素子１１６は、ダイクロプリズム１１３によって反射されたＣＤ用レーザ光に対し、対物レンズ１２３の有効径に応じた開口制限を施すとともに、当該ＣＤ用レーザ光の波面状態を、対物レンズ１２３の設計に応じた波面状態に補正する。
【００３４】
すなわち、対物レンズ１２３の開口数は、ディスクの基板厚に応じて、あらかじめレーザ光毎に決められている。補正素子１１６は、ディスクの基板厚に対応する開口数となるようレーザ光の外周部を遮光し、ＣＤ用レーザ光を適正な有効径にて対物レンズ１２３に入射させる。すなわち、本実施の形態の如く、光ピックアップ装置がＣＤ／ＤＶＤ／次世代ＤＶＤ（基板厚０．６ｍｍ）互換用である場合、ＣＤの基板厚のみが他のディスクに比べて大きく、これに応じて、対物レンズ１２３のＮＡは、ＣＤ用レーザ光のＮＡのみが他に比べて小さく設定さている。補正素子１１６は、ＣＤ用レーザ光の外周部を遮光し、対物レンズ１２３に対するＣＤ用レーザ光の有効径を調整し、これにより、ＣＤ用レーザ光の開口数を設定値に調整する。
【００３５】
また、本実施の形態では、対物レンズ１２３が、次世代ＤＶＤ用レーザ光に対応するよう設計されており、この場合には、レーザ光の波長の相違から、ＣＤ用レーザ光の波面状態を、対物レンズ１２３の設計に応じて補正する必要がある。また、対物レンズ１２３が、ＣＤ用レーザ光にのみ有限系となるよう設計されている場合には、ＣＤ用レーザ光の波面状態をそれに応じて補正する必要がある。補正素子１１６は、このような点から、ＣＤ用レーザ光の波面状態が対物レンズ１２３に対して適正となるよう、当該ＣＤ用レーザ光に波面補正作用を付与する。
【００３６】
なお、補正素子１１６は、たとえば、回折素子を用いて構成することができる。たとえば、ＣＤ用レーザ光の外周部が入射する位置（開口制限したい部分）に、ＣＤ用レーザ光を発散させる回折パターン（ホログラム）を形成し、また、それより内側の部分に、ＣＤ用レーザ光に対し上記波面補正作用を付与する回折パターン（ホログラム）を形成する。この他、位相補正素子等を用いることもできる。なお、補正素子１１６は、開口制限用の素子と波面補正用の素子を組み合わせるようにして構成することもできる。たとえば、ＣＤ用レーザ光の外周部を遮光するマスクを波面補正用の回折素子や位相補正素子に組み合わせるようにしても良い。
【００３７】
補正素子１１７は、ダイクロプリズム１１４によって反射されたＤＶＤ用レーザ光の波面状態を、対物レンズ１２３の設計に応じた波面状態に補正する。すなわち、本実施の形態では、対物レンズ１２３が次世代ＤＶＤ用レーザ光に対応するよう設計されているため、レーザ光の波長の相違に応じて、ＤＶＤ用レーザ光の波面状態を、対物レンズ１２３の設計に整合するよう補正する。
【００３８】
補正素子１１７としては、たとえば、回折素子を用いることができる。すなわち、ＤＶＤ用レーザ光に対し上記波面補正作用を付与する回折パターン（ホログラム）を形成した回折素子を用いることができる。この他、位相補正素子等を用いることもできる。
【００３９】
プリズムミラー１１８は、ダイクロプリズム１１３によって反射されたＣＤ用レーザ光を反射する。ダイクロプリズム１１９は、ダイクロプリズム１１４によって反射されたＤＶＤ用レーザ光のみを反射し、プリズムミラー１１８によって反射されたＣＤ用レーザ光を透過する。ダイクロプリズム１２０は、プリズムミラー１１５によって反射された次世代ＤＶＤ用レーザ光のみを透過し、ダイクロプリズム１１９からのＣＤ用レーザ光とＤＶＤ用レーザ光を反射する。
【００４０】
なお、プリズムミラー１１８と、ダイクロプリズム１１９、１２０は、同図に示す如く、その側面が接着固定され、これにより一つのプリズムアセンブリを構成している。かかるプリズムアセンブリは、各プリズム素子が、それぞれ、ダイクロプリズム１１３、１１４と、プリズムミラー１１５に対向するよう、光ピックアップ装置のベース上に設置される。
【００４１】
λ／４板１２１は、ダイクロプリズム１２０からのレーザ光（直線偏光）を円偏光に変換する。また、ディスクから反射されたレーザ光（円偏光）を、入射時の偏光方向に直交する直線偏光に変換する。したがって、ディスクから反射されたレーザ光は、入射時の光路を逆行した後、偏光ビームスプリッタ１１２によって、ほぼ全反射される。
【００４２】
対物レンズアクチュエータ１２２は、サーボ回路３００からのサーボ信号（トラッキングサーボ信号およびフォーカスサーボ信号）に応じて、対物レンズ１２３を駆動する。
【００４３】
対物レンズ１２３は、各波長のレーザ光を記録層上に収束させる。なお、本実施の形態では、対物レンズ１２３は、次世代ＤＶＤ用のレーザ光に対応するよう設計されている。また、ＣＤ用レーザ光に対しては有限系、ＤＶＤ用レーザ光および次世代ＤＶＤ用レーザ光に対しては無限系となるよう設計されている。
【００４４】
集光レンズ１２４は、偏光ビームスプリッタ１１２によって反射されたレーザ光（ディスクからの反射光）を光検出器１２５上に集光する。光検出器１２５は、受光したレーザ光の強度分布から再生ＲＦ信号、フォーカスエラー信号およびトラッキングエラー信号を導出するためのセンサーパターンを有している。各センサーからの信号は、ディスク装置側の再生回路２００およびサーボ回路３００に出力される。
【００４５】
再生回路２００は、光検出器１２５から受信したセンサー信号を演算処理して再生ＲＦ信号を導出し、これを復調して再生データを生成する。
【００４６】
サーボ回路３００は、光検出器１２５から受信したセンサー信号を演算処理してトラッキングエラー信号およびフォーカスエラー信号を導出し、これに基づいてトラッキングサーボ信号およびフォーカスサーボ信号を生成して対物レンズアクチュエータ１２２に出力する。
【００４７】
上記において、ダイクロプリズム１１３、１１４、１１９、１２０、プリズムミラー１１５、１１８の反射面は、これらプリズム素子を全て通過した後の各レーザ光の光軸が互いに一致するよう調整されている。図２に、これらプリズム素子の反射面の状態を示す。なお、同図では、ダイクロプリズム１１３、１１４の反射面が調整されている。
【００４８】
かかる反射面の調整は、図３に示す如く、プリズムミラー１１８とダイクロプリズム１１９の反射面を調整することにより行うこともできる。また、図４に示す如く、プリズムミラー１１８とダイクロプリズム１１４の反射面を調整することにより行うこともできる。
【００４９】
なお、上記では、ダイクロプリズム１１３、１１４とプリズムミラー１１５から一つのプリズムアセンブリを構成し、また、プリズムミラー１１８とダイクロプリズム１１９、１２０から一つのプリズムアセンブリを構成するようにしたが、図５に示す如く、分割波長毎にプリズムアセンブリを構成することもできる。ここで、ダイクロプリズム１３０、１３１は、次世代ＤＶＤ用レーザ光のみを反射し、ダイクロプリズム１３２は、ＤＶＤ用レーザ光のみを透過する。この場合、補正素子１１６、１１７は、同図に示す位置に配置される。
【００５０】
なお、図５に示すよう構成すると、上記に比べ、プリズムアセンブリの数が増加するため、その分、プリズムアセンブリの配置作業がやや煩雑となる。また、図５の場合には、何れかのプリズムアセンブリの配置が、他のプリズムアセンブリに対し、同図の上下方向（Ｙ−Ｙ’）にずれると、光軸ずれが生じてしまう。これに対し、上記図１ないし図４の場合には、プリズムアセンブリの配置が、たとえば図４の上下方向（Ｙ−Ｙ’）、左右方向（Ｘ−Ｘ’）の何れにずれても光軸ずれは生じない。このようなことから、図５に示す構成よりも、図１ないし図４に示す構成の方が優れていると言える。
【００５１】
ところで、上記図１ないし図４の構成例では、対物レンズ１２３が次世代ＤＶＤ用レーザ光に対応して設計されていることから、次世代ＤＶＤ用レーザ光の光路中に、当該レーザ光の波面状態を補正するための補正素子は配されていなかった。しかし、このように対物レンズが設計されていたとしても、製造時に生じるディスクの膜厚むら（面内誤差）によって、次世代ＤＶＤ用レーザ光に球面収差が生じることが知られている。また、ディスク面に対するレーザ光のチルトによって、レーザ光に球面収差が生じることも知られている。よって、図６に示す如く、次世代ＤＶＤ用レーザ光の光路中に補正素子１４０を配し、面内誤差およびチルトによる球面収差を補正するようにしても良い。この場合、球面収差は動的に変化するため、補正素子１４０としては、液晶素子等、動的に補正特性を変更し得る素子を用いる。すなわち、サーボ回路３００からのサーボ信号に応じて、補正素子１４０による補正特性を適宜、適正な状態に調整するようにする。
【００５２】
また、上記では、ＣＤ用、ＤＶＤ用、次世代ＤＶＤ用のレーザ光を用いる互換型ピックアップ装置の構成例を例示したが、このうち２種類のレーザ光を用いる互換型ピックアップ装置とすることもできる。
【００５３】
図７は、ＣＤ用レーザ光と、ＤＶＤ用レーザ光を用いる場合の構成例を示すものである。
【００５４】
図において、２波長レーザ１５０は、ＣＤ用のレーザ光（波長７８０ｎｍ）と、ＤＶＤ用のレーザ光（波長６５５ｎｍ）をそれぞれ出射する２つのレーザ素子を同一ＣＡＮ内に収容している。ここで、これら２つのレーザ素子は、一つの直線上（同図のＹ−Ｙ’方向）に並ぶよう、所定のギャップをおいて配置されている。また、各素子から出射されるレーザ光は、互いに偏光面が平行となっている。また、ダイクロプリズム１５１は、ＣＤ用レーザ光を反射し、ＤＶＤ用レーザ光を透過するような波長特性を有している。なお、対物レンズ１２３は、ＤＶＤ用レーザ光に対応するよう設計されている。
【００５５】
それぞれのプリズム素子の反射面は、たとえば、図８に示すよう調整されている。この他、反射面の調整方法は、上記図２ないし図４にて説明した如く、種々のバリエーションが可能である。
【００５６】
図７および図８の構成例では、ダイクロプリズム１１３とプリズムミラー１１５の側面が接着固定されることによって一つのプリズムアセンブリが構成され、また、プリズムミラー１１８とダイクロプリズム１５１の側面が接着固定されることによって一つのプリズムアセンブリが構成されている。これに対し、図９に示す如く、分割波長毎にプリズム素子を接着固定してプリズムアセンブリを構成するようにしてもよい。ただし、この場合には、上記図５の場合と同様、一方のプリズムアセンブリの配置が、他方に対し、同図の上下方向（Ｙ−Ｙ’方向）にずれると、光軸ずれが生じてしまう。
【００５７】
さらに、ＣＤ用レーザ光と、ＤＶＤ用レーザ光を用いる場合においても、図１０に示す如く、面内誤差やチルトによる球面収差の補正を目的として、ＤＶＤ用レーザ光の光路中に補正素子１６０を配置するようにしても良い。この場合、補正素子１６０は、上記図６の場合と同様、液晶素子等、動的に補正特性を変更し得る素子を用い、サーボ回路３００からのサーボ信号に応じて、補正素子１６０による補正特性を、適宜、適正値に調整するようにする。
【００５８】
また、上記では、補正素子を別途配置することによって、レーザ光の波面状態等を補正するようにしたが、反射面に面加工を施すことによって、レーザ光の波面状態等を補正するようにすることもできる。
【００５９】
図１１は、ＣＤ用レーザ光と、ＤＶＤ用レーザ光を用いる場合の適用例を示すものである。この適用例では、ＣＤ用レーザ光を反射するプリズムミラー１７０を断面三角形状とし、その斜面に、ＣＤ用レーザ光に対し開口制限作用と波面補正作用を施す面加工を施している。
【００６０】
すなわち、図示の如く、プリズムミラー１７０の斜面のうち、レーザ光の中央部分（対物レンズに導きたい部分）が入射される部分にのみミラー面を形成し、それより外側の部分にはミラー面を形成しないようにする。ここで、ミラー面は、ＣＤ用レーザ光の波面状態が、当該ミラー面による反射によって、対物レンズ１２３の設計に対応するものとなるような曲面に設計されている。
【００６１】
かかるミラー面の形成により、ＣＤ用レーザ光は、ミラー面より外側の部分が反射されずにカットされ、これにより、ＣＤ用レーザ光に対する開口制限がなされる。また、ミラー面によって反射された部分のレーザ光は、ミラー面の曲面作用によって、対物レンズ１２３の設計に対応する波面状態が補正される。
【００６２】
なお、ミラー面の形成は、たとえば、次のような工程によって行うことができる。まず、プリズムミラー１７０の斜面をミラー面の設計寸法に整合する曲面となるようにして形成しておき、次に、この曲面部分以外の斜面部分をマスクし、その後、アルミニウム等の反射材料をプリズムミラー１７０の斜面蒸着し、最後に、マスクを除去する。
【００６３】
このように、反射面に面加工を施すことによって、レーザ光の波面状態等を補正するようにすると、補正素子の配置を省略することができ、部品点数の削減および構成の簡素化を図ることができる。
【００６４】
なお、かかる反射面に面加工を施すことによってレーザ光の波面状態等を補正する手法は、上記図１ないし図６の構成例においても同様に適用可能である。ただし、何れの場合においても、ダイクロイックミラーの反射面は、かかる面加工が施し難く、また、レーザ光の入射角度等に応じて、反射ないし透過効率が変動する惧れがあるため、かかる面加工は、上記の如く、プリズムミラーの反射面に施すようにするのが好ましい。
【００６５】
以上では、対物レンズ１２３が、たとえば図１のダイクロプリズム１２０から見てＹ方向に位置する場合の構成例を示したが、光ピックアップ装置の構成によっては、ダイクロプリズム１２０から見てＸ方向に対物レンズ１２３が配置される場合もある。図１２は、かかる場合の構成例を示すものである。図において、ダイクロプリズム１８０は、次世代ＤＶＤ用レーザ光のみを反射し、ＣＤ用レーザ光とＤＶＤ用レーザ光を透過する。
【００６６】
また、図１３は、対物レンズ１２３が、ダイクロプリズム２００から見てＸ方向に配置される場合の構成例を示すものである。この場合、プリズムミラー１９０はＣＤ用レーザ光とＤＶＤ用レーザ光を反射し、ダイクロプリズム２００は、次世代ＤＶＤ用レーザ光のみを透過して他のレーザ光を反射する。
【００６７】
この他、対物レンズ１２３が、図１３のダイクロプリズム２００から見てＹ’方向に配置される場合には、同様にして、ダイクロプリズム２００の反射面の向きと波長特性を調整し、さらに、対物レンズ１２３が、ダイクロプリズム２００から見てＸ−Ｘ’方向とＹ−Ｙ’方向に直交する方向に配置される場合には、ダイクロプリズム２００をプリズムミラーに変更し、その反射面の向きを、全てのレーザ光が対物レンズ方向に反射される向きに調整するようにすれば良い。
【００６８】
以上、本発明に係る実施の形態について説明したが、本発明は、上記実施の形態に限定されるものではなく、他に種々の変更が可能であることは言うまでもない。本発明の実施の形態は、特許請求の範囲に示された技術的思想の範囲内において、適宜、種々の変更が可能である。
【図面の簡単な説明】
【００６９】
【図１】実施の形態に係る光ピックアップ装置の構成例を示す図
【図２】実施の形態に係るプリズム素子の反射面の調整例を示す図
【図３】実施の形態に係るプリズム素子の反射面の調整例を示す図
【図４】実施の形態に係るプリズム素子の反射面の調整例を示す図
【図５】実施の形態に係るプリズムアセンブリの変更例を示す図
【図６】実施の形態に係る光ピックアップ装置の他の構成例を示す図
【図７】実施の形態に係る光ピックアップ装置の他の構成例を示す図
【図８】実施の形態に係るプリズム素子の反射面の調整例を示す図
【図９】実施の形態に係るプリズムアセンブリの変更例を示す図
【図１０】実施の形態に係る光ピックアップ装置の他の構成例を示す図
【図１１】実施の形態に係る補正素子の変更例を示す図
【図１２】実施の形態に係るプリズムアセンブリの変更例を示す図
【図１３】実施の形態に係るプリズムアセンブリの変更例を示す図
【符号の説明】
【００７０】
１１０  ３波長レーザ
１１３  ダイクロプリズム
１１４  ダイクロプリズム
１１５  プリズムミラー
１１８  ダイクロプリズム
１１９  ダイクロプリズム
１２０  プリズムミラー
１１６  補正素子
１１７  補正素子
１３０  ダイクロプリズム
１３１  ダイクロプリズム
１３２  ダイクロプリズム
１４０  補正素子
１５０  ２波長レーザ
１５１  ダイクロプリズム
１６０  補正素子
１７０  プリズムミラー
１７１  補正素子
１８０  ダイクロプリズム
１９０  プリズムミラー
２００  ダイクロプリズム
【図１】
2005285174.tif 000003
【図２】
2005285174.tif 000004
【図３】
2005285174.tif 000005
【図４】
2005285174.tif 000006
【図５】
2005285174.tif 000007
【図６】
2005285174.tif 000008
【図７】
2005285174.tif 000009
【図８】
2005285174.tif 000010
【図９】
2005285174.tif 000011
【図１０】
2005285174.tif 000012
【図１１】
2005285174.tif 000013
【図１２】
2005285174.tif 000014
【図１３】
2005285174.tif 000015